(57)【要約】【課題】縦クロストークを抑圧する。【解決手段】補正回路１０は、入力画像データＤinに基づいて補正量を演算して補正量データＵを生成する補正量演算部１４０と、補正の対象となる入力画像データＤinが供給されるデータ線の水平走査方向の位置に応じて定めた補正係数を示す補正係数データＣを生成する補正係数生成部１４２と、補正量データＵと補正係数データＣとに基づいて入力画像データＤinを補正して補正画像データＤhを生成する補正部１５０とを備える。【選択図】図９
2014174514.tif 000002
【特許請求の範囲】
【請求項１】
複数のデータ線が第1方向に並んで設けられ、前記データ線を介して画素回路に画像信号を供給する電気光学装置であって、
入力画像データに基づいて補正量を演算して補正量データを生成する補正量演算部と、
補正の対象となる入力画像データが供給される前記データ線の第1方向の位置に応じて定めた補正係数を示す補正係数データを生成する補正係数生成部と、
前記補正量データと前記補正係数データとに基づいて補正データを生成し、前記補正データに基づいて前記入力画像データを補正して補正画像データを生成する補正部と、
前記補正画像データに基づいて画像信号を生成する画像信号生成部と、
前記画像信号が供給される画像信号線と、前記複数のデータ線と１対１に対応して設けられ、前記画像信号をサンプリングして前記複数のデータ線に供給する複数のスイッチとを有し、プリチャージ期間においてプリチャージ電圧を前記複数のデータ線に供給し、前記プリチャージ期間の後の書込期間において前記複数のスイッチを所定の順番でオフ状態からオン状態に遷移させる駆動部と、を備える、
ことを特徴とする電気光学装置。
【請求項２】
前記駆動部は、前記プリチャージ期間において、前記複数のスイッチを一方の方向に向けて順番にオフ状態からオン状態に遷移させ、
前記補正係数生成部は、前記一方の方向に進むほど、大きさが単調に変化するように前記補正係数データを生成する、
ことを特徴とする請求項１に記載の電気光学装置。
【請求項３】
前記補正係数生成部は、前記プリチャージ期間が終了してから前記スイッチがオフ状態からオン状態に遷移するまでの時間に応じた大きさとなるように前記補正係数データを生成する、
ことを特徴とする請求項１に記載の電気光学装置。
【請求項４】
前記複数のデータ線は複数の領域に分割され、
前記補正係数生成部は、分割された領域ごとに前記補正係数データを決定することを特徴とする請求項２又は３に記載の電気光学装置。
【請求項５】
前記複数の領域の各々に属する前記データ線の本数は等しく、
前記複数の領域のうち所定の領域に対応する前記補正係数データと前記所定の領域に隣り合う領域に対応する前記補正係数データとの差分は、前記補正係数データの最小分解能となるように前記複数のデータ線の分割数が定められている、
ことを特徴とする請求項４に記載の電気光学装置。
【請求項６】
前記補正係数生成部は、前記プリチャージ期間が終了してから前記スイッチがオフ状態からオン状態に遷移するまでの期間における前記画像信号の電圧と前記プリチャージ電圧との差分の変化に基づいて、前記補正係数を生成する、
ことを特徴とする請求項３に記載の電気光学装置。
【請求項７】
請求項１乃至６のうちいずれか1項に記載の電気光学装置を備えたことを特徴とする電子機器。
【発明の詳細な説明】
【技術分野】
【０００１】
本発明は、画像を表示する電気光学装置及び電子機器に関連する。
【背景技術】
【０００２】
電気エネルギーによって光学特性が変化する電気光学素子を備えた電気光学装置の一例として液晶表示装置が知られている。液晶表示装置は、複数のデータ線と複数の走査線とを備え、データ線と走査線との交差に対応して画素回路が設けられている。画素回路は、選択トランジスターと電気光学素子たる液晶素子とを含む。選択トランジスターは走査線を介して供給される走査信号に応じてオン状態とオフ状態が制御される。選択トランジスターがオン状態になると、データ線を介して供給される画像信号が液晶素子に印加され、選択トランジスターがオフ状態になると、液晶素子に画像信号の電圧が保持される。即ち、画素回路に画像信号を書き込んでから次に画像信号を書き込むまでの間は、最初に書き込んだが画像信号の電圧が液晶素子に保持され、液晶素子は画像信号の電圧に応じた透過率に制御される。電気光学装置の駆動では、複数の走査線を順番に選択し、選択した走査線に対応する画素回路にデータ線を介して画像信号を書き込む。このため、データ線の電圧は、水平走査期間ごとに変化する。
【０００３】
データ線は容量性の負荷であるため、画像信号の書き込みに先立ち、プリチャージ電圧をデータ線に書き込むことがある。即ち、１水平走査期間をデータ線にプリチャージ電圧を供給するプリチャージ期間とデータ線に画像信号を供給する書込期間に分割した駆動を行うことがある。
【０００４】
さらに、複数のデータ線に画像信号を書き込む方式として、点順次方式や相展開方式が知られている。点順次方式を採用する電気光学装置では、画像信号が供給される１本の画像信号線と複数のデータ線との間に複数のスイッチが設けられており、複数のスイッチを排他的に順次オン状態にすることによって画像信号をサンプリングして複数のデータ線の各々に画像信号を供給する。一方、相展開方式を採用する電気光学装置は、複数のデータ線をブロックに分割し、ブロック単位で画像信号をデータ線に供給する。例えば、６相の相展開方式では、１つの画像信号をシリアルパラレル変換して６相の画像信号を生成し、各画像信号を６本の画像信号線に供給する。１ブロックは６本のデータ線からなり、各データ線と６本の画像信号線との間にスイッチが設けられている。各ブロックに属する６個のスイッチは同時にオン状態となり、６相の画像信号はブロック単位で６本のデータ線に同時に書き込まれる。このように、点順次方式や相展開方式では、１水平走査期間に画像信号を複数回書き込むことになる。
【０００５】
ところで、データ線と液晶素子とは、浮遊容量によって容量結合している。このため、ある走査線に対応する画素回路に画像信号を書き込んでから、次に画像信号を書き込むまでの期間において、データ線の電圧が変動すると、容量結合によって液晶素子で保持する画像信号の電圧が変動してしまう。この結果、表示画像の品質が劣化する。特に、液晶表示装置においては、基準レベルを中心として画像信号の極性を所定周期（例えば１フィールド）で反転する極性反転駆動を採用する。このため、データ線の電圧が大きく変動し、いわゆる縦クロストークと呼ばれる現象が発生することがある。
そこで、縦クロストークを改善するため、大容量のメモリに１フィールド分の画像データを記憶し、メモリに蓄積した１フィールド分の画像データに基づいて縦クロストークを補正する技術が知られている（例えば、特許文献１及び２）。
さらに、第１フィールドと第２フィールドで同じ画像を表示する液晶表示装置において、小容量のメモリを２つ用い、第１フィールドについては縦クロストークの補正を実行せず、第２フィールドについてのみ縦クロストークを補正する技術が知られている（例えば、特許文献３）。
【先行技術文献】
【特許文献】
【０００６】
【特許文献１】特開２００３−３３００９３号公報
【０００７】
【特許文献２】特許３８６９４６４号公報
【０００８】
【特許文献３】特許４８１６０３１号公報
【発明の概要】
【発明が解決しようとする課題】
【０００９】
しかしながら、点順次方式や相展開方式において、画像信号の書き込みに先立ち、プリチャージ電圧を書き込む場合には、プリチャージ電圧を書き込んでから画像信号を書き込むまでの時間がデータ線の水平方向の位置によって相違する。また一方、画像信号線とデータ線との間に設けられたスイッチはオフ状態においてリーク電流が流れるため、プリチャージ電圧を書き込んでから画像信号を書き込むまでの時間に応じてデータ線の電圧が変動してしまう。この結果、縦クロストークを十分抑圧できないといった問題があった。
【００１０】
本発明は上述した事情に鑑みてなされたものあり、縦クロストークを抑圧することを解決課題とする。
【課題を解決するための手段】
【００１１】
以上の課題を解決するために、本発明の電気光学装置は、複数のデータ線が第1方向に並んで設けられ、前記データ線を介して画素回路に画像信号を供給するものであって、入力画像データに基づいて補正量を演算して補正量データを生成する補正量演算部と、補正の対象となる入力画像データが供給される前記データ線の第1方向の位置に応じて定めた補正係数を示す補正係数データを生成する補正係数生成部と、前記補正量データと前記補正係数データとに基づいて補正データを生成し、前記補正データに基づいて前記入力画像データを補正して補正画像データを生成する補正部と、前記補正画像データに基づいて画像信号を生成する画像信号生成部と、前記画像信号が供給される画像信号線と、前記複数のデータ線と１対１に対応して設けられ、前記画像信号をサンプリングして前記複数のデータ線に供給する複数のスイッチとを有し、プリチャージ期間においてプリチャージ電圧を前記複数のデータ線に供給し、前記プリチャージ期間の後の書込期間において前記複数のスイッチを所定の順番でオフ状態からオン状態に遷移させる駆動部と、を備える。
【００１２】
この発明によれば、プリチャージ電圧を複数のデータ線に供給した後、書込期間において複数のスイッチを所定の順番でオフ状態からオン状態に遷移させることによって、スイッチを介して画像信号をデータ線に供給する。この場合、スイッチのオフリークによってデータ線の電圧がプリチャージ電圧から変化する。データ線の電圧の変化の程度は、複数のスイッチがオフ状態からオン状態に変化するタイミングに依存するところ、補正係数は補正の対象となる入力画像データが供給されるデータ線の第1方向の位置に応じて定めるので、スイッチのオフリーク特性を考慮して補正係数を定めることができる。この結果、スイッチのオフリークによってデータ線の電圧が変化しても縦クロストークを十分抑圧することが可能となる。
【００１３】
上述した電気光学装置において、前記駆動部は、前記プリチャージ期間において、前記複数のスイッチを一方の方向に向けて順番にオフ状態からオン状態に遷移させ、前記補正係数生成部は、前記一方の方向に進むほど、大きさが単調に変化するように前記補正係数データを生成することが好ましい。この発明によれば、複数のスイッチは一方の方向に向けて順番にオフ状態からオン状態に遷移するところ、補正係数は一方の方向に進むほど大きさが単調に変化するので、補正係数はスイッチのオフリークに応じたものとなる。よって、縦クロストークを十分抑圧することができる。
【００１４】
上述した電気光学装置において、前記補正係数生成部は、前記プリチャージ期間が終了してから前記スイッチがオフ状態からオン状態に遷移するまでの時間に応じた大きさとなるように前記補正係数データを生成することが好ましい。スイッチのオフリークの大きさはオフ時間に応じて定まる。この発明によれば、オフ時間に応じて補正係数データを生成するので、スイッチのオフリークによってデータ線の電圧が変化しても縦クロストークを十分抑圧することが可能となる。
【００１５】
上述した電気光学装置において、前記複数のデータ線は複数の領域に分割され、前記補正係数生成部は、分割された領域ごとに前記補正係数データを決定することが好ましい。この発明によれば、複数の領域ごとに補正係数を定めればよく、補正係数の管理が容易となる。
【００１６】
より具体的には、前記複数の領域の各々に属する前記データ線の本数は等しく、前記複数の領域のうち所定の領域に対応する前記補正係数データと前記所定の領域に隣り合う領域に対応する前記補正係数データとの差分は、前記補正係数データの最小分解能となるように前記複数のデータ線の分割数が定められていることが好ましい。この発明によれば、補正係数データの最小分解能となるように複数のデータ線の分割数が定められているので、正確に縦クロストークを補正することが可能となる。
【００１７】
上述した電気光学装置において、前記補正係数生成部は、前記プリチャージ期間が終了してから前記スイッチがオフ状態からオン状態に遷移するまでの期間における前記画像信号の電圧と前記プリチャージ電圧との差分の変化に基づいて、前記補正係数を生成することが好ましい。データ線の電圧の変化は、画像信号の電圧とプリチャージ電圧との差分の変化に応じて定まるところ、この発明によれば、プリチャージ電圧を考慮して補正係数を定めることができ、縦クロストークを十分抑圧することが可能となる。
【００１８】
次に、本発明に係る電子機器は、上述した電気光学装置を備えることが好ましい。そのような電子機器としては、プロジェクター、パーソナルコンピュータ、携帯電話機などが該当する。
【図面の簡単な説明】
【００１９】
【図１】本発明の第１実施形態に係る電気光学装置のブロック図である。
【図２】同実施形態に用いる画素の回路図である。
【図３】同実施形態に用いるデータ線駆動回路のブロック図である。
【図４】同実施形態に用いる駆動回路の動作を説明するためにタイミングチャートである。
【図５】同実施形態において各サンプリングパルスと各ブロックのデータ線の電圧の関係を示すタイミングチャートである。
【図６】オフリーク特性の一例を示す説明図である。
【図７】液晶素子の印加電圧に対する透過率の特性とプリチャージ電圧とデータ線の電圧変化との関係の一例を示す説明図である。
【図８】液晶素子の印加電圧に対する透過率の特性とプリチャージ電圧とデータ線の電圧変化との関係の他の例を示す説明図である。
【図９】同実施形態に用いる補正回路のブロック図である。
【図１０】表示領域と補正係数との関係の一例を示す説明図である。
【図１１】同実施形態に用いる補正量演算部のブロック図である。
【図１２】同実施形態に係る補正回路の動作を説明するためのタイミングチャートである。
【図１３】同実施形態に用いる第１記憶部の記憶内容の変化を説明するための説明図である。
【図１４】同実施形態に用いる第２記憶部の記憶内容の変化を説明するための説明図である。
【図１５】偶数番目の単位期間において生成される第1積算データの変化を説明するための説明図である。
【図１６】第２実施形態に用いるデータ線駆動回路のブロック図である。
【図１７】同実施形態に係る電気光学装置の動作を説明するためのタイミングチャートである。
【図１８】表示領域と補正係数との関係の他の例を示す説明図である。
【図１９】電子機器（投射型表示装置）の斜視図である。
【図２０】電子機器（パーソナルコンピュータ）の斜視図である。
【図２１】電子機器（携帯電話機）の斜視図である。
【発明を実施するための形態】
【００２０】
＜第１実施形態＞
図１は、本発明の第１実施形態に係る電気光学装置１００のブロック図である。電気光学装置１００は、補正回路１０、画像信号生成回路１１、電気光学パネル１２及び制御回路１４を具備する。電気光学パネル１２は、複数の画素（画素回路）ＰIXが配列された表示部３０と、各画素ＰIXを駆動する駆動回路４０とを含む。表示部３０には、ｘ方向に延在するＭ本の走査線３２と、ｘ方向に交差するｙ方向に延在するＮ本のデータ線３４とが形成される（Ｍ及びＮは自然数）。表示部３０内の複数の画素ＰIXは、走査線３２とデータ線３４との各交差に対応して縦Ｍ行×横Ｎ列の行列状に配列される。
【００２１】
図２は、各画素ＰIXの回路図である。図２に示すように、各画素ＰIXは、液晶素子ＣLと選択スイッチＳWとを含む。液晶素子ＣLは、相互に対向する画素電極６２及び共通電極６４と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLとデータ線３４との間に介在して両者の電気的な接続（導通／絶縁）を制御する。なお、液晶素子ＣLに並列に補助容量を接続した構成も採用され得る。
また、データ線３４と液晶素子ＣLとは浮遊容量Ｃaを介して容量結合している。従って、データ線３４の電圧が変化すると、液晶素子ＣLの印加電圧が変化する。
【００２２】
図１の補正回路１０は、入力画像データＤinに縦クロストークを抑圧する補正を施して補正画像データＤhを生成する。制御回路１４は、電気光学装置１００全体を制御し、駆動回路４０に対して各種の制御信号ＣＴＬを供給すると共に、補正回路１０及び画像信号生成回路１１に極性信号Ｐを供給する。また、制御回路１４は、後述する第１記憶部１１２及び第２記憶部１２２の記憶内容をリセットする第１リセットパルスＲＥＳ１及び第２リセットパルスＲＥＳ２を生成する。
【００２３】
本実施形態では、いわゆる焼き付きを防止するため、液晶素子ＣLに印加する電圧の極性を所定周期で反転する極性反転駆動を採用する。この例では、データ線３４を介して画素ＰIXに供給する画像信号Ｘのレベルを、基準電圧Ｖrefを中心として単位期間ごとに反転する。単位期間は、画素ＰIXを駆動する動作の１単位となる期間である。この例では、単位期間はフィールド（垂直走査期間）となっている。但し、単位期間は任意に設定することができ、例えば、垂直走査期間の自然数倍であってもよい。極性信号Ｐは画像信号Ｘの極性を示す。この例では、極性信号Ｐがハイレベルの場合、画像信号Ｘは基準電圧Ｖrefに対して高電圧となる正極性、極性信号Ｐがローレベルの場合、画像信号Ｘは基準電圧Ｖrefに対して低電圧となる負極性となる。
【００２４】
画像信号生成回路１１は、補正画像データＤhをＤＡ変換し、極性信号Ｐに基づいて画像信号の極性を所定周期で反転するとともに、画像信号にシリアル-パラレル変換を施して、６相に展開した画像信号ＶＩＤ1〜ＶＩＤ6を生成する。
駆動回路４０は、各画素ＰIXの表示階調を制御する画像信号Ｘ[n]を各画素ＰIXに供給する回路であり、走査線駆動回路４２、データ線駆動回路４４A及びプリチャージ回路４６を具備する。走査線駆動回路４２は、各走査線３２に対応する走査信号Ｙ[1]〜Ｙ[M]の供給で各走査線３２を順次に選択する。走査信号Ｙ[m]（ｍ＝１〜Ｍ）が所定の選択電位に設定される（すなわち第ｍ行の走査線３２が選択される）ことで、第ｍ行の各画素ＰIXにおける選択スイッチＳWが同時にオン状態に遷移する。
【００２５】
本実施形態では、１水平走査期間をプリチャージ期間Ｔpreと書込期間Ｔwとに分割して駆動を行う。プリチャージ回路４６は、プリチャージ期間Ｔpreにおいてプリチャージ電圧Ｖpreを全てのデータ線３４に供給し、書込期間Ｔwにおいてはデータ線３４との接続端子がハイインピーダンス状態となる。
【００２６】
データ線駆動回路４４Aは、走査線駆動回路４２による走査線３２の選択に同期してＮ本のデータ線３４の各々に画像信号Ｘ[1]〜Ｘ[N]を供給する。画像信号Ｘ[1]〜Ｘ[N]は画像信号ＶＩＤ1〜ＶＩＤ6をサンプリングして得られる。各画素ＰIX（液晶素子ＣL）は、走査線３２の選択時（選択スイッチＳWがオン状態に制御されたとき）にデータ線３４に供給されている画像信号Ｘ[n]（ｎ＝１〜Ｎ）の電位に応じた階調を表示する。
【００２７】
図３にデータ線駆動回路４４Aの構成を示す。データ線駆動回路４４Aは、６本の画像信号線Ｌ１〜Ｌ６と、画像信号線Ｌ１〜Ｌ６に６相の画像信号ＶＩＤ1〜ＶＩＤ6を供給するドライバ４４１と、ｋ（＝Ｎ／６）個のスイッチ回路ＳＷ1〜ＳＷkと、シフトレジスタ４４３とを備える。以下の説明では、ｋ個のスイッチ回路ＳＷ1〜ＳＷkの各々に対する６本のデータ線３４をブロックＢ１〜Ｂｋと称する。
【００２８】
各スイッチ回路ＳＷ1〜ＳＷkは、各々がデータ線３４と画像信号線Ｌ１〜Ｌ６とに接続される６個のスイッチを備える。シフトレジスタ４４３は制御回路１４から供給されるシフトパルスをクロック信号に従って順次シフトすることによって、書込期間Ｔwにおいて排他的にアクティブとなるサンプリングパルスＳＰ1〜ＳＰkを生成する。各サンプリングパルスＳＰ1〜ＳＰkは各スイッチ回路ＳＷ1〜ＳＷkに供給される。これによって、画像信号ＶＩＤ1〜ＶＩＤ6がデータ線３４に供給される。
【００２９】
図４に駆動回路４０のタイミングチャートを示す。この図に示すように単位期間（この例では、フィールド）は、Ｍ個の水平走査期間Ｈからなる。また、各水平走査期間Ｈには、プリチャージ期間Ｔpreとこれに続く書込期間Ｔwとからなる。プリチャージタイミング信号Ｐtはプリチャージ期間Ｔpreにおいてハイレベルとなり、書込期間Ｔwにおいてローレベルとなる。プリチャージタイミング信号Ｐtは制御信号ＣＴＬに含まれる。プリチャージ期間Ｔpreにおいて、全てのデータ線３４にはプリチャージ回路４６からプリチャージ電圧Ｖpreが供給される。一方、書込期間Ｔwでは、ｋ個のサンプリングパルスＳＰ1〜ＳＰkが順次アクティブとなり、相展開された画像信号ＶＩＤ1〜ＶＩＤ6がサンプリングされてデータ線３４に供給される。この結果、図５に示すように、水平走査方向において左から第１番目のブロックＢ１に属する６本のデータ線３４の電圧は、プリチャージ期間Ｔpreにおいてプリチャージ電圧Ｖpreとなり、サンプリングパルスＳＰ1がアクティブとなる期間Ｔw1においてＶＩＤ1[1]、ＶＩＤ2[1]、…ＶＩＤ6[1]となる。次に、左から第２番目のブロックＢ２に属する６本のデータ線３４の電圧は、プリチャージ期間Ｔpreにおいてプリチャージ電圧Ｖpreとなり、サンプリングパルスＳＰ2がアクティブとなる期間Ｔw2においてＶＩＤ1[2]、ＶＩＤ2[2]、…ＶＩＤ6[2]となる。更に、走査線が延存する方向において左から第ｋ番目のブロックＢｋに属する６本のデータ線３４の電圧は、プリチャージ期間Ｔpreにおいてプリチャージ電圧Ｖpreとなり、サンプリングパルスＳＰkがアクティブとなる期間ＴwkにおいてＶＩＤ1[k]、ＶＩＤ2[k]、…ＶＩＤ6[k]となる。
【００３０】
このように、相展開駆動方式では、ブロックＢ１〜Ｂｋごとにプリチャージ電圧Ｖpreが供給されてから、画像信号ＶＩＤ1〜ＶＩＤ6が供給されまでの時間が相違する。また、スイッチ回路ＳＷ1〜ＳＷkを構成するスイッチは薄膜トランジスターなどで構成されており、所定のオフリーク特性を有する。図６にオフリーク特性の一例を示す。この例では、スイッチがオン状態となってデータ線３４にプリチャージ電圧Ｖpreが充電されており、時間「０」でスイッチがオフ状態となり、スイッチが接続される画像信号線の電圧は０Ｖであり、Ｖpre＞０であるとする。スイッチにはデータ線３４から画像信号線に向けてリーク電流が流れる。この結果、時間が経過するにつれて、データ線３４の電圧は次第に低下する。
複数のデータ線３４は水平走査方向に並んで延在するが、水平走査方向の位置に応じてオフ時間が定まる。そして、オフ時間が長くなる程、データ線３４に充電されたプリチャージ電圧Ｖpreのリーク量が大きくなる。スイッチのオフ抵抗は理想的には無限大である。しかしながら、近年では、パネルの画素数の増大や駆動周波数の高速化する傾向にあり、これに伴って、スイッチのオン抵抗を低減して書込能力を大きくする必要がある。スイッチに用いるトランジスターのゲート幅を大きくすると書込能力は大きくなるが、オフ抵抗が小さくなり、リークが増大してしまう。このため、ある程度のリークを許容する必要がある。このリークに起因して、画像信号ＶＩＤ1〜ＶＩＤ6をデータ線３４に書き込む直前におけるデータ線３４の電圧は、プリチャージ期間Ｔpreの終了から各サンプリングパルスＳＰ1〜ＳＰkがアクティブになるまでの時間に応じて変動する。
【００３１】
上述したように縦クロストークは、データ線３４と液晶素子ＣLとの容量結合に起因して発生する。従って、画像信号ＶＩＤ1〜ＶＩＤ6が書き込まれる直前のデータ線３４の電圧が、プリチャージ電圧Ｖpreと相違すると、データ線３４に画像信号ＶＩＤ1〜ＶＩＤ6を書き込む際の電圧変化量が異なるため、縦クロストークの程度が水平走査方向に対して変化することになる。
【００３２】
例えば、液晶素子ＣLの印加電圧に対する透過率の特性が図７に示すものであり、灰色の背景に白のパターンを３個有する画像を表示し、プリチャージ電圧Ｖpreが０Ｖである場合を想定する。この場合、ブロックＢ１に白階調の画像信号ＶＩＤ1〜ＶＩＤ6を期間Ｔw1に書き込む直前におけるブロックＢ１に属するデータ線３４の電圧はプリチャージ電圧Ｖpreとなっている。従って、白階調を書き込むためには変化量ΔＶ１を必要とする。一方、ブロックＢｋに白階調の画像信号ＶＩＤ1〜ＶＩＤ6を期間Ｔwkに書き込む直前におけるブロックＢｋに属するデータ線３４の電圧は、スイッチのリークによって背景階調側にシフトしている。このため、白階調を書き込むためには変化量ΔＶｋ（＜ΔＶ１）となり、ブロックＢ１と比較して変化量が小さい。
【００３３】
ここで、領域Ａ１と領域Ａ２における縦クロストークの大きさを検討する。上述したようにブロックＢ１（スイッチのオフ時間が短い）は、ブロックＢｋ（スイッチのオフ時間が長い）と比較して、白階調を書き込む際にデータ線３４の電圧が大きく変化する。このため、データ線３４と容量結合した液晶素子ＣLの印加電圧に与える影響も大きくなるので、領域Ａ１は領域Ａ２と比較して、縦クロストークの程度が大きくなる。
【００３４】
また、例えば、液晶素子ＣLの印加電圧に対する透過率の特性が図８に示すものであり、灰色の背景に白のパターンを３個有する画像を表示し、プリチャージ電圧Ｖpreが背景階調よりも高い電圧である場合を想定する。ブロックＢ１に白階調の画像信号ＶＩＤ1〜ＶＩＤ6を書き込むためには変化量ΔＶ１を必要とする。一方、ブロックＢｋに白階調の画像信号ＶＩＤ1〜ＶＩＤ6を期間Ｔwkに書き込む直前におけるブロックＢｋに属するデータ線３４の電圧は、スイッチのリークによって背景階調側にシフトしているから、白階調を書き込むためには変化量ΔＶｋとなる。即ち、ブロックＢｋの変化量ΔＶｋはブロックＢ１の変化量ΔＶ１と比較して大きい。
【００３５】
ここで、領域Ａ１と領域Ａ２における縦クロストークの大きさを検討する。ブロックＢｋ（スイッチのオフ時間が長い）はブロックＢ１（スイッチのオフ時間が短い）と比較して、白階調を書き込む際にデータ線３４の電圧が大きく変化する。このため、データ線３４と容量結合した液晶素子ＣLの印加電圧に与える影響も大きくなるので、領域Ａ２は領域Ａ１と比較して、縦クロストークの程度が大きくなる。
【００３６】
このように、縦クロストークの大きさは、スイッチのリーク時間に応じて変化し、スイッチのリーク時間はスイッチの水平走査方向の位置に応じて定まる。そこで、本実施形態の補正回路１０は、スイッチのリーク時間（スイッチの水平走査方向の位置）に応じて縦クロストークの補正の程度を決定している。
【００３７】
図９に補正回路１０の構成を示す。補正回路１０は、入力画像データＤinに基づいて補正量を演算して補正量データＵを生成する補正量演算部１４０と、補正の対象となる入力画像データＤinが供給されるデータ線３４の水平走査方向の位置に応じて定めた補正係数を示す補正係数データＣを生成する補正係数生成部１４２と、補正量データＵと補正係数データＣとに基づいて補正データを生成し、補正データに基づいて入力画像データＤinを補正して補正画像データＤhを生成する補正部１５０とを備える。より具体的には、補正部１５０は、補正量データＵと補正係数データＣとを乗算して補正データを生成する。
【００３８】
図１０に補正係数と表示領域との関係の一例を示す。本実施形態においては、表示部３０を水平走査方向に８個の表示領域Ｅ１〜Ｅ８に分割し、表示領域Ｅ１〜Ｅ８の各々に対応する補正係数ｕ１〜ｕ８を割り当ている。この例では、プリチャージ電圧Ｖpreは、図７に示すようにＶpre＝０Ｖであるものとする。補正係数ｕ１〜ｕ８は、ｕ１＞ｕ２＞ｕ３＞ｕ４＞ｕ５＞ｕ６＞ｕ７＞ｕ８となる。
【００３９】
データ線駆動回路４４Aは、プリチャージ期間Ｔpreにおいてプリチャージ電圧Ｖpreをデータ線３４に供給した後、書込期間Ｔwにおいて水平走査方向に向けてスイッチ回路ＳＷ1〜ＳＷkを順番にオフ状態からオン状態に遷移させるとともに、補正係数生成部１４２は、スイッチ回路ＳＷ1〜ＳＷkの選択が水平走査方向に進むほど、補正係数の大きさが単調に変化するように補正係数データＣを生成する。これにより、補正係数生成部１４２は、プリチャージ期間Tpreが終了してからスイッチ回路ＳＷ1〜ＳＷkを構成するスイッチがオフ状態からオン状態に遷移するまでの時間に応じた大きさの補正係数となるように補正係数データＣを生成する。
従来の縦クロストークの補正では、図１０に示すように補正係数は、全ての表示領域Ｅ１〜Ｅ８において、「１」であった。このため、スイッチのオフリーク特性を考慮した補正を行うことができなったが、本実施形態によれば、スイッチのオフ時間に応じて補正係数を変更するので、縦クロストークをより正確に抑圧することが可能となる。
【００４０】
また、補正量演算部１４０は、過去の入力画像データＤinに基づいて、現在の入力画像データＤinに対する補正量を示す補正量データＵを生成するのであれば、どのような構成であってもよく、例えば、以下に述べる３つの態様がある。
第１の態様に係る補正量演算部１４０は、フィールドメモリを備え、１フィールド分の入力画像データＤinをフィールドメモリに記憶し、フィールドメモリの記憶内容を参照して、１フィールド過去から現在までの入力画像データＤinの積算値を算出し、算出した積算値に基づいて、補正量データＵを生成する。
【００４１】
第２の態様に係る補正量演算部１４０は、１フィールド目の入力画像データＤinの全行について列ごとに累積された第１の積算値を保持する第１のラインメモリと、２フィールド目の入力画像データＤinのこれから書き込む行の１ライン前（または、これから書き込む行）まで列ごとに累積された第２の積算値を保持する第２のラインメモリとを備え、２フィールド目において、第１の積算値と第２の積算値に基づいて、１フィールド過去から現在までの入力画像データＤinの積算値を算出し、算出した積算値に基づいて、補正量データＵを生成する。第２の態様に係る補正量演算部１４０は、いわゆる倍速駆動のように同じ画像を１フィールド目と２フィールド目で表示し、２フィールド目において縦クロストークの補正を実行する場合に有用である。
【００４２】
次に、第３の態様に係る補正量演算部１４０の構成を図１１に示す。補正量演算部１４０は、第１積算部１１０、第２積算部１２０、及び選択部１３０を備える。
第１積算部１１０は、奇数番目のフィールドの開始からこれに続く偶数番目のフィールドの終了まで（図１２参照）、入力画像データＤinを積算して、当該偶数番目のフィールドにおいて、データ線３４に供給される画像信号Ｘ[n]（ｎ＝１〜Ｎ）の電圧を１フィールドだけ過去から現在まで積分した積分値に対応する第１積算データＳ１[n]を生成する。また、第１積算部１１０には極性信号Ｐが供給され、第１積算部１１０は極性信号Ｐの示す画像信号Ｘ[n]の極性に応じて、入力画像データＤinの加算及び減算の一方を実行して第１積算データＳ１[n]を生成する。
より具体的には、第１積算部１１０は、第１演算部１１１及び第１記憶部１１２を備える。第１記憶部１１２は、データ線３４の本数Ｎに応じたＮ個の第１積算データＳ１[n]（ｎ＝１〜Ｎ）を記憶する。第１演算部１１１は、第１記憶部１１２を用いて入力画像データＤinを積算して、Ｎ個の第１積算データＳ１[n]（ｎ＝１〜Ｎ）を生成する。なお、第１記憶部１１２の記憶内容は、奇数番目のフィールドが開始する直前にアクティブとなる第１リセットパルスＲＥＳ１によってリセットされる。
【００４３】
第２積算部１２０は、偶数番目のフィールドの開始からこれに続く奇数番目のフィールドの終了まで、入力画像データＤinを積算して、当該奇数番目のフィールドにおいて、データ線３４に供給される画像信号Ｘ[n]の電圧を１フィールドだけ過去から現在まで積分した積分値に対応する第２積算データＳ２[n]を生成する。また、第２積算部１２０には極性信号Ｐが供給され、第２積算部１２０は極性信号Ｐの示す画像信号Ｘ[n]の極性に応じて、入力画像データＤinの加算及び減算の一方を実行して第２積算データＳ２[n]を生成する。
より具体的には、第２積算部１２０は、第２演算部１２１及び第２記憶部１２２を備える。第２記憶部１２２は、データ線３４の本数Ｎに応じたＮ個の第２積算データＳ２[n]（ｎ＝１〜Ｎ）を記憶する。第２演算部１２１は、第２記憶部１２２を用いて入力画像データＤinを積算して、Ｎ個の第２積算データＳ２[n]（ｎ＝１〜Ｎ）を生成する。なお、第２記憶部１２２の記憶内容は、偶数番目のフィールドが開始する直前にアクティブとなる第２リセットパルスＲＥＳ２によってリセットされる。
選択部１３０は、偶数番目のフィールドでは第１積算データＳ１[n]を選択し、奇数番目のフィールドでは第２積算データＳ２[n]を選択して補正量データＵを生成する。
【００４４】
図１２は、補正量演算部１４０の動作を示すタイミングチャートである。同図に示すように第１積算部１１０は、奇数番目のフィールドにおいて第１モードで動作する一方、偶数番目のフィールドにおいて第２モードで動作する。また、第２積算部１１０は、偶数番目のフィールドにおいて第２モードで動作する一方、奇数番目のフィールドにおいて第１モードで動作する。第１モードでは、極性信号Ｐの示す極性が正極性である場合、入力画像データＤinをそのまま積算し、極性信号Ｐの示す極性が負極性である場合、入力画像データＤinに「-1」を乗じて積算する。この例では、フィールドごとに極性が反転するフィールド反転駆動を採用し、奇数番目のフィールドでは正極性（+）、偶数番目のフィールドでは負極性（-）となる。従って、第１積算部１１０は、奇数番目のフィールドにおいて入力画像データＤinをそのまま積算し、第２積算部１２０は、偶数番目のフィールドにおいて入力画像データＤinに「-1」を乗じて積算する。
【００４５】
ここで、走査線３２の本数Ｍが「６」、データ線３４の本数がＮである場合を想定する。また、奇数番目のフィールドにおいて、ｎ番目のデータ線３４に供給する画像信号Ｘ[n]に対応する入力画像データＤinがｄ11〜ｄ16であり、これに続く偶数番目のフィールドにおいて、画像信号Ｘ[n]に対応する入力画像データＤinがｄ21〜ｄ26であり、これに続く奇数番目のフィールドにおいて、ｎ番目のデータ線３４に供給する画像信号Ｘ[n]に対応する入力画像データＤinがｄ31〜ｄ36であるとする。
【００４６】
図１３に第１記憶部１１２の記憶内容を示す。奇数番目のフィールドにおいて第１演算部１１１は、第１モードでする。この場合、第１演算部１１１は、現在の入力画像データＤinと第１記憶部１１２から読み出したデータとを加算して得られたデータを第１記憶部１１２に書き込むことによって、第１記憶部１１２の記憶内容を更新する。まず、奇数番目のフィールドの直前に第１記憶部１１２の記憶内容はリセットされる。そして、入力画像データＤinとしてデータ値ｄ11が供給されると、第１演算部１１１は第１記憶部１１２からデータを読み出す。読み出したデータの値は「０」となっている。これとデータ値ｄ11とを積算して（この場合は、加算）、第１記憶部１１２の記憶内容を「ｄ11」に更新する。次に、入力画像データＤinとしてデータ値ｄ12が供給されると、第１記憶部１１２からデータ値ｄ11を読み出し、これとデータ値ｄ11とを積算して（この場合は、加算）、第１記憶部１１２の記憶内容を「ｄ11+ｄ12」に更新する。以後、積算を繰り返すことによって奇数番目のフィールドが終了する時点で、第１記憶部１１２にはデータ値「ｄ11+ｄ12+ｄ13+ｄ14+ｄ15+ｄ16」が記憶される。即ち、奇数番目のフィールドが終了する時点で、第１記憶部１１２には、ｎ番目のデータ線３４に供給される画像信号Ｘ[n]の電圧を１フィールドだけ過去から現在まで積分した積分値に対応する第１積算データＳ１[n]が格納される。
【００４７】
次に、偶数番目のフィールドにおいて、第１演算部１１１は第２モードで動作する。この場合、第１演算部１１１は、第１記憶部１１２から読み出した第１積算データＳ１[n]から現在の入力画像データＤinの２倍を減算して得た新たな第１積算データＳ１[n]を第１記憶部１１２に書き込むことによって、第１記憶部１１２の記憶内容を更新する。図１２に示すように偶数番目のフィールドが開始して、現在の入力画像データＤinであるデータ値ｄ21が供給されると、第１演算部１１１は、第１記憶部１１２から読み出した第１積算データＳ１[n]= ｄ11+ｄ12+ｄ13+ｄ14+ｄ15+ｄ16から、「2ｄ22」を減算して得た第１積算データＳ１[n]を第１記憶部１１２に書き込む。これにより、第１記憶部１１２の記憶内容は、「ｄ11+ｄ12+ｄ13+ｄ14+ｄ15+ｄ16-2ｄ21」に更新される。次に、入力画像データＤinとしてデータ値ｄ22が供給されると、第１記憶部１１２からデータ値「ｄ11+ｄ12+ｄ13+ｄ14+ｄ15+ｄ16-2ｄ21」を読み出し、これから2ｄ22を減算して、第１記憶部１１２の記憶内容を「ｄ11+ｄ12+ｄ13+ｄ14+ｄ15+ｄ16-2ｄ21-2ｄ22」に更新する。以後、同様の演算を繰り返すことによって、第１演算部１１１は、偶数番目のフィールドにおいて第１積算データＳ１[n]を生成する。
【００４８】
図１４に第２記憶部１２２の記憶内容を示す。偶数番目のフィールドにおいて、第２演算部１２１は、第１モードで動作する。この場合、第２演算部１２１は、現在の入力画像データＤinに「-1」を乗算し、乗算結果と第２記憶部１２２から読み出したデータとを加算して得られたデータを第２記憶部１２２に書き込むことによって、第２記憶部１２２の記憶内容を更新する。まず、偶数番目のフィールドの直前に第２記憶部１２２の記憶内容はリセットされる。そして、入力画像データＤinとしてデータ値ｄ21が供給されると、第２演算部１２１は第２記憶部１２２からデータを読み出す。読み出したデータの値は「０」となっている。一方、偶数番目のフィールドでは極性信号Ｐは負極性を示すので、第２演算部１２１は、読み出したデータ値「0」と入力画像データＤinのデータ値「ｄ21」に「-1」を乗算した「-ｄ21」とを積算して（この場合は、ｄ21の減算）、第２記憶部１２２の記憶内容を「-ｄ21」に更新する。次に、入力画像データＤinとしてデータ値ｄ22が供給されると、第２記憶部１２２からデータ値-ｄ21を読み出し、これとデータ値-ｄ22とを積算して（この場合は、ｄ22の減算）、第２記憶部１２２の記憶内容を「-ｄ21-ｄ22」に更新する。以後、積算を繰り返すことによって偶数番目のフィールドが終了する時点で、第２記憶部１２２にはデータ値「-ｄ21-ｄ22-ｄ23-ｄ24-ｄ25-ｄ26」が記憶される。即ち、偶数番目のフィールドが終了する時点で、第２記憶部１２２には、ｎ番目のデータ線３４に供給される画像信号Ｘ[n]の電圧を１フィールドだけ過去から現在まで積分した積分値に対応する第２積算データＳ２[n]が格納される。
【００４９】
次に、奇数番目のフィールドにおいて、第２演算部１２１は第２モードで動作する。この場合、第２演算部１２１は、第２記憶部１２２から読み出した第２積算データＳ１[n]に現在の入力画像データＤinの２倍を加算して得た新たな第２積算データＳ２[n]を第２記憶部１２２に書き込むことによって、第２記憶部１２２の記憶内容を更新する。奇数番目のフィールドが開始して、現在の入力画像データＤinであるデータ値ｄ31が供給されると、第２演算部１２１は、第２記憶部１２２から読み出した第２積算データＳ２[n]=-ｄ21-ｄ22-ｄ23-ｄ24-ｄ25-ｄ26に、「2ｄ31」を加算して得た第２積算データＳ２[n]を第２記憶部１２２に書き込む。これにより、第２記憶部１２２の記憶内容は、「-ｄ21-ｄ22-ｄ23-ｄ24-ｄ25-ｄ26+2ｄ31」に更新される。次に、入力画像データＤinとしてデータ値ｄ32が供給されると、第２記憶部１２２からデータ値「-ｄ21-ｄ22-ｄ23-ｄ24-ｄ25-ｄ26+2ｄ31」を読み出し、これに2ｄ32を減算して、第１記憶部１１２の記憶内容を「-ｄ21-ｄ22-ｄ23-ｄ24-ｄ25-ｄ26+2ｄ31+2ｄ32」に更新する。以後、同様の演算を繰り返すことによって、第２演算部１２１は、奇数番目のフィールドにおいて第２積算データＳ２[n]を生成する。
【００５０】
図１５に、偶数番目のフィールドにおいて生成される第1積算データＳ１[n]を示す。同図に示す波形は、画像信号Ｘ[n]を示したものである。まず、奇数番目のフィールドが終了した時点では、第1積算データＳ１[n]は、（Ａ）に網かけで示す面積Ｓｘに相当する値となっている。次に、偶数番目のフィールドの第1番目の水平走査期間では、（Ｂ）に網かけで示す面積がｎ番目のデータ線３４に供給される画像信号Ｘ[n]の電圧を１フィールドだけ過去から現在まで積分した積分値に対応する。このため、奇数番目のフィールドが終了した時点の面積Ｓｘから、データ値ｄ11に対応する面積を取り除き、更に、データ値ｄ21に相当する面積を減算する必要がある。入力画像データＤinは一般にフィールド相関性が高いので、データ値ｄ11はデータ値２１に略等しい。そこで、第1積算データＳ１[n]（=ｄ11+ｄ12+ｄ13+ｄ14+ｄ15+ｄ16）からデータ値ｄ21を減算することによって、基準電圧Ｖrefより高い部分の面積が得られる。次に、偶数番目のフィールドにおいては、極性信号Ｐがローレベルとなり負極性となるので、データ値ｄ21を減算することによって基準電圧Ｖrefを中心として画像信号Ｘ[n]の電圧を１フィールドだけ過去から現在まで積分した積分値に対応する第１積算データＳ１[n] （=ｄ11+ｄ12+ｄ13+ｄ14+ｄ15+ｄ16-2ｄ12）が得られる。このようにして得られた新たな第１積算データＳ１[n]によって、第1記憶部１１２の記憶内容を更新する。この結果、偶数番目のフィールドの第１番目の水平走査期間Ｈ１では、図１３に示すように第1記憶部１１２の記憶内容が更新される。
【００５１】
この後、偶数番目のフィールドの第２番目の水平走査期間Ｈ２では、図１５に示すように（Ｂ）に示すデータ値ｄ12と略等しいデータ値ｄ22を減算し、さらに、基準電圧Ｖrefより低電圧に対応させるためデータ値ｄ22を減算して第１積算データＳ１[n]を生成する。この結果、偶数番目のフィールドの第２番目の水平走査期間Ｈ１では、図１３に示すように第1記憶部１１２の記憶内容が「ｄ11+ｄ12+ｄ13+ｄ14+ｄ15+ｄ16-2ｄ12-2ｄ22」に更新される。
そして、偶数番目のフィールドの第３番目の水平走査期間Ｈ３では図１５（Ｃ）、第４番目の水平走査期間Ｈ４では図１５（Ｄ）、第５番目の水平走査期間Ｈ５では図１５（Ｅ）に示すように第１積算データＳ１[n]が生成され、第１記憶部１１２の記憶内容が図１３に示すように更新される。
【００５２】
このように第１演算部１１１は、第１記憶部１１２を用いて第１モードでは入力画像データＤinを積算して１フィールド分の第１積算データＳ１[n]を生成し、第２モードでは、第１モードで生成した第１積算データＳ１[n]と現在の入力画像データＤinを用いて１水平走査期間ごとに積算の範囲がシフトするように第１記憶部１１２の記憶内容を更新したので、大容量のフィールドメモリを用いることなく、第１記憶部１１２の記憶容量を大幅に削減することができる。また、第２記憶部１２２についても、同じ理由によって記憶容量を大幅に削減することができる。但し、本実施形態において、フィールドメモリを用いて構成してもよいことは勿論である。
【００５３】
また、第１積算部１１０及び第２積算部１２０を備えるので、奇数番目のフィールドと偶数番目のフィールドの両方で縦クロストークを抑圧する補正を実行することができる。即ち、倍速駆動や静止画を前提としなくても、記憶容量の小さい第１記憶部１１２及び第２記憶部１２２を用いて縦クロストークの補正を行うことができる。加えて、第１記憶部１１２の記憶内容を奇数番目のフィールドの直前にリセットするとともに、第２記憶部１２２の記憶内容を偶数番目のフィールドの直前にリセットする。これによって、動画において縦クロストークの抑圧が十分でない領域があっても、その影響が次のフィールドに及ばなくなる。よって、静止画や倍速駆動のように同一の画像を複数のフィールドに書き込む場合のみならず、フィールドごとに画像が変化する場合であっても、縦クロストークを有効に抑圧することができる。
【００５４】
＜第２実施形態＞
第１実施形態に係る電気光学装置１００においては、データ線駆動回路４４Aは、水平走査方向にブロックＢ１→Ｂ２→Ｂ３→…→Ｂｋを順次選択して、データ線３４に相展開された画像信号ＶＩＤ1〜ＶＩＤ6を供給した。これに対して、第２実施形態に係る電気光学装置１００は、左右の端部のブロックＢ１及びＢｋから中央に向けて各ブロックＢ１〜Ｂｋを選択する点で相違する。
第２実施形態に係る電気光学装置１００は、データ線駆動回路４４Aの替わりにデータ線駆動回路４４Bを用いる点、画像信号生成回路１１が、相展開された画像信号ＶＩＤ1〜ＶＩＤ6の他、ｖｉｄ1〜ｖｉｄ6を生成してデータ線駆動回路４４Bに供給する点、及び補正係数生成部１４２の動作を除いて、図１に示す第１実施形態の電気光学装置１００と同様に構成されている。
【００５５】
図１６にデータ線駆動回路４４Bの構成を示す。データ線駆動回路４４Bは、画像信号線Ｌａ１〜Ｌａ６及びＬｂ１〜Ｌｂ６と、画像信号線Ｌａ１〜Ｌａ６に６相の画像信号ＶＩＤ1〜ＶＩＤ6を供給するドライバ４４１と、画像信号線Ｌｂ１〜Ｌｂ６に６相の画像信号ｖｉｄ1〜ｖｉｄ6を供給するドライバ４４２と、ｋ（＝Ｎ／６）個のスイッチ回路ＳＷ1〜ＳＷkと、シフトレジスタ４４３及び４４４とを備える。
【００５６】
シフトレジスタ４４３は制御回路１４から供給されるシフトパルスをクロック信号に従って順次シフトすることによって、書込期間Ｔwにおいて排他的にアクティブとなるサンプリングパルスＳＰ1〜ＳＰjを生成する。一方、シフトレジスタ４４４は制御回路１４から供給されるシフトパルスをクロック信号に従って順次シフトすることによって、書込期間Ｔwにおいて排他的にアクティブとなるサンプリングパルスＳＰk〜ＳＰj+1を生成する。
【００５７】
図１７にデータ線駆動回路４４Bのタイミングチャートを示す。この図に示すように各サンプリングパルスは、ＳＰ1及びＳＰk→ＳＰ2及びＳＰk-1→…→ＳＰj及びＳＰj+1の順にアクティブとなる。この結果、スイッチ回路ＳＷ1及びＳＷk→ＳＷ2及びＳＷk-1→…→ＳＷj及びＳＷj+1の順にオン状態となり、ブロックＢ１及びＢｋ→Ｂ２及びＢｋ-1→…→Ｂｊ及びＢｊ+1の順に相展開された画像信号ＶＩＤ1〜ＶＩＤ6及びｖｉｄ1〜ｖｉｄ6が各データ線３４に供給される。
【００５８】
図１８に補正係数と表示領域との関係の一例を示す。本実施形態においては、表示部３０を水平走査方向に８個の表示領域Ｅ１〜Ｅ８に分割し、表示領域Ｅ１〜Ｅ８の各々に対応する補正係数ｕ１〜ｕ８を割り当ている。この例では、プリチャージ電圧Ｖpreは、図８に示すようにプリチャージ電圧Ｖpreが灰色の階調に相当する電圧より高いものとする。補正係数ｕ１〜ｕ８は、ｕ１(=ｕ８)＜ｕ２(=ｕ７)＜ｕ３(=ｕ６)＜ｕ４(=ｕ５)となる。
【００５９】
データ線駆動回路４４Bは、プリチャージ期間Ｔpreにおいてプリチャージ電圧Ｖpreをデータ線３４に供給した後、書込期間Ｔwにおいて上述した順番でスイッチ回路ＳＷ1〜ＳＷkを順番にオフ状態からオン状態に遷移させる。また、補正係数生成部１４２は、プリチャージ期間Tpreが終了してからスイッチ回路ＳＷ1〜ＳＷkを構成するスイッチがオフ状態からオン状態に遷移するまでの時間に応じた大きさの補正係数となるように補正係数データＣを生成する。
従来の縦クロストークの補正では、図１８に示すように補正係数は、全ての表示領域Ｅ１〜Ｅ８において、「１」であった。このため、スイッチのリーク特性を考慮した補正を行うことができなったが、本実施形態によれば、スイッチのオフ時間に応じて補正係数を変更するので、縦クロストークをより正確に抑圧することが可能となる。
【００６０】
＜変形例＞
以上の各形態は多様に変形され得る。具体的な変形の態様を以下に例示する。以下の例示から任意に選択された２以上の態様は、相互に矛盾しない範囲内で適宜に併合され得る。
【００６１】
（１）上述した実施形態において、表示部３０は複数の表示領域Ｅ１〜Ｅ８に分割され、補正係数生成部１４２は、分割された領域ごとに補正係数データＣを決定した。ここで、各表示領域Ｅ１〜Ｅ８に属するデータ線３４の本数は必ずしも等しくなくてもよい。表示領域の数は２以上であればよく、８個に限定されない。
また、複数の表示領域の各々に属するデータ線３４の本数は等しく、複数の表示領域のうち所定の領域に対応する補正係数データＣと所定の領域に隣り合う領域に対応する補正係数データＣとの差分は、補正係数データＣの最小分解能となるように複数のデータ線３４の分割数を定めてもよい。この場合には、補正係数データＣの最小分解能となるように複数のデータ線３４の分割数が定められているので、正確に縦クロストークを補正することが可能となる。
【００６２】
（２）上述した各実施形態において、補正係数生成部１４２は、プリチャージ期間Ｔpreが終了してからスイッチがオフ状態からオン状態に遷移するまでの時間に応じて補正係数データＣを生成した。これは、スイッチのリークに伴うデータ線３４の電圧の変化が上述した時間に応じて定まるからである。この点をより詳細に検討すると、プリチャージ期間Ｔpreが終了してからスイッチがオフ状態からオン状態に遷移するまでの期間における、画像信号線Ｌ１〜Ｌ６（Ｌａ１〜Ｌａ６及びＬｂ１〜Ｌｂ６）の電圧とプリチャージ電圧との差分の変化によってスイッチのリークよるデータ線３４の電圧の変化が定まる。そこで、補正係数生成部１４２は、プリチャージ期間Ｔpreが終了してからスイッチがオフ状態からオン状態に遷移するまでの期間における、相展開された画像信号ＶＩＤ1〜ＶＩＤ6（及びＶＩＤ1〜ＶＩＤ6）とプリチャージ電圧Ｖpreとの差分の変化に基づいて、補正係数データＣを生成してもよい。
【００６３】
（３）  上述した電気光学装置において、前記補正係数生成部は、前記プリチャージ期間が終了してから前記スイッチがオフ状態からオン状態に遷移するまでの期間における前記画像信号の電圧と前記プリチャージ電圧との差分の変化に基づいて、前記補正係数を生成することが好ましい。データ線の電圧の変化は、画像信号の電圧とプリチャージ電圧との差分の変化に応じて定まるところ、この発明によれば、プリチャージ電圧を考慮して補正係数を定めることができ、縦クロストークを十分抑圧することが可能となる。
【００６４】
（４）本発明において、電気光学素子は液晶素子ＣLに限定されない。例えば、有機ＥＬ素子や電気泳動素子を電気光学素子として利用することも可能である。すなわち、電位光学素子は、電気的な作用（例えば電圧の印加）に応じて光学的な特性（例えば透過率）が変化する表示素子として包括される。これらの電気光学素子を備えた画素ＰIXであっても、データ線３４の電圧が変動すると、画素ＰIXで保持する画像信号Ｘ[n]に応じた電圧が変動し、縦クロストークが発生する場合があり得る。この変形例によれば、そのような場合にも縦クロストークを抑圧することができる  
【００６５】
＜応用例＞
以上の各形態に例示した電気光学装置１００は、各種の電子機器に利用され得る。図１９から図２１には、電気光学装置１００を採用した電子機器の具体的な形態が例示されている。
【００６６】
図１９は、電気光学装置１００を適用した投射型表示装置（３板式のプロジェクター）４０００の模式図である。投射型表示装置４０００は、相異なる表示色（赤色，緑色，青色）に対応する３個の電気光学装置１００（１００R１００G１００B）を含んで構成される。照明光学系４００１は、照明装置（光源）４００２からの出射光のうち赤色成分ｒを電気光学装置１００Rに供給し、緑色成分ｇを電気光学装置１００Gに供給し、青色成分ｂを電気光学装置１００Bに供給する。各電気光学装置１００は、照明光学系４００１から供給される各単色光を表示画像に応じて変調する光変調器（ライトバルブ）として機能する。投射光学系４００３は、各電気光学装置１００からの出射光を合成して投射面４００４に投射する。
【００６７】
図２０は、電気光学装置１００を採用した可搬型のパーソナルコンピューターの斜視図である。パーソナルコンピューター２０００は、各種の画像を表示する電気光学装置１００と、電源スイッチ２００１やキーボード２００２が設置された本体部２０１０とを具備する。
【００６８】
図２１は、電気光学装置１００を適用した携帯電話機の斜視図である。携帯電話機３０００は、複数の操作ボタン３００１及びスクロールボタン３００２と、各種の画像を表示する電気光学装置１００とを備える。スクロールボタン３００２を操作することによって、電気光学装置１００に表示される画面がスクロールされる。
【００６９】
なお、本発明に係る電気光学装置が適用される電子機器としては、図１９から図２１に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００７０】
１００……電気光学装置、１０……補正回路、１２……電気光学パネル、１４……制御回路、３０……表示部、ＰIX……画素、ＣL……液晶素子、３２……走査線、３４……データ線、４０……駆動回路、４２……走査線駆動回路、４４A，４４B……データ線駆動回路、４６……プリチャージ回路、１４０……補正量演算部、１４２……補正係数生成部、１５０……補正部、Ｕ……補正量データ、Ｃ……補正係数データ、Ｄin……入力画像データ、Ｄh……補正画像データ、Ｖpre……プリチャージ電圧、Ｔpre……プリチャージ期間、Ｔw……書込期間。
【図１】
2014174514.tif 000003
【図２】
2014174514.tif 000004
【図３】
2014174514.tif 000005
【図４】
2014174514.tif 000006
【図５】
2014174514.tif 000007
【図６】
2014174514.tif 000008
【図９】
2014174514.tif 000009
【図１０】
2014174514.tif 000010
【図１１】
2014174514.tif 000011
【図１２】
2014174514.tif 000012
【図１３】
2014174514.tif 000013
【図１４】
2014174514.tif 000014
【図１５】
2014174514.tif 000015
【図１６】
2014174514.tif 000016
【図１７】
2014174514.tif 000017
【図１８】
2014174514.tif 000018
【図１９】
2014174514.tif 000019
【図２０】
2014174514.tif 000020
【図２１】
2014174514.tif 000021
【図７】
2014174514.tif 000022
【図８】
2014174514.tif 000023